【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
レンダリングされた文書のコンテンツの部分を選択するユーザ入力を受信することであって、前記部分は文のフラグメントを構成する、ことと、
前記ユーザ入力を受信することに応答して、（１）電子文書の集合に含まれる電子文書を識別することであって、前記識別された電子文書は前記選択された文書の部分を含んでいる、こと、および、（２）前記選択された文書の部分が生じる前記識別された電子文書内の位置を識別することと、
前記識別された電子文書に関連するマークアップ層にアクセスすることと、
前記識別された電子文書内の前記識別された位置に対して、前記マークアップ層によって定義されたアクションを識別することと、
前記受信されたユーザ入力を提供したユーザに、前記識別されたアクションを利用可能にすることと
を包含する、電子文書をナビゲートするためのコンピュータシステムにおける方法。
【請求項２】
前記識別された電子文書および前記識別された部分は、前記選択された文書の部分の標準文字セット表示を判定することなく、識別される、請求項１に記載の方法。
【請求項３】
前記識別することは、前記選択された文書の部分の画像を使用して実行される、請求項２に記載の方法。
【請求項４】
前記識別することは、前記選択された文書の部分に含まれているテキストの畳み込み符号化された表示を使用して実行される、請求項２に記載の方法。
【請求項５】
２つの選択された文書の部分をそれぞれ畳み込み符号化された表示に符号化することであって、前記２つの選択された文書の部分は、２つの異なる自然言語のテキストを含んでいる、ことをさらに包含する、請求項４に記載の方法。
【請求項６】
前記畳み込み符号化された表示内における前記選択された文書の部分のテキストのコンテンツと独立なデータを符号化することをさらに包含し、前記データを符号化することは、前記畳み込み符号化された表示に無効値を含めることを包含する、請求項４に記載の方法。
【請求項７】
前記選択された文書の部分は、前記電子文書の集合の中で一意であり、単一の単語が削除される前記選択された文書の部分の版は、前記電子文書の集合の中で一意ではない、請求項２に記載の方法。
【請求項８】
レンダリングされた文書のコンテンツの部分を選択するユーザ入力を受信することであって、前記部分は文のフラグメントを構成する、ことと、
前記ユーザ入力を受信することに応答して、（１）電子文書の集合に含まれる複数の電子文書を識別することであって、前記識別された複数の電子文書のそれぞれは前記選択された文書の部分を含んでいる、こと、および、（２）前記選択された文書の部分が生じる前記複数の電子文書の各々の電子文書内の位置を識別することと、
前記受信されたユーザ入力を提供したユーザを識別することと、
前記識別されたユーザに対するコンテキスト情報を取り出すことと、
前記取り出されたコンテキスト情報のコンテンツに基づいて、前記複数の電子文書の中で、前記レンダリングされた文書に対応する可能性が最も高い文書を識別することと
を包含する、電子文書をナビゲートするためのコンピュータシステムにおける方法。
【請求項９】
レンダリングされた文書のコンテンツの部分を選択するユーザ入力を受信することであって、前記部分は文のフラグメントを構成する、ことと、
前記ユーザ入力を受信することに応答して、（１）電子文書の集合に含まれる電子文書を識別することであって、前記識別された電子文書は前記選択された文書の部分を含んでいる、こと、および、（２）前記選択された文書の部分が生じる前記識別された電子文書内の位置を識別することと、
前記識別された電子文書内の前記識別された位置に添付される注釈用テキストを特定するユーザ入力を受信することと、
前記特定された注釈用テキストを、前記識別された電子文書の指示および前記識別された電子文書の外側の場所における識別された位置とともに格納することと、
前記注釈に対するユーザ要求に応答して、
前記識別された電子文書の少なくとも一部分であって、前記識別された位置を含んでいる部分を取り出すこと；
前記識別された電子文書の領域であって、前記識別された位置を含んでいる領域を表示すること；
前記特定された注釈用テキストを取り出すこと；および、
前記識別された位置に隣接する位置において、前記表示された文書の領域に関連して前記特定された注釈用テキストを表示することと
を包含する、電子文書をナビゲートするためのコンピュータシステムにおける方法。
【請求項１０】
携帯光学テキスト取得装置においてレンダリングされた文書からテキストを取得するための方法であって、
前記レンダリングされた文書から、前記レンダリングされた文書内のテキストの第１の画像を取得することと、
前記取得されたテキストの第１の画像を、前記携帯光学テキスト取得装置から分離したコンピュータシステムにアップロードすることと、
前記コンピュータシステムから、前記レンダリングされた文書において使用される書体の文字画像の文字ＩＤへのマッピングを受信することと、
前記レンダリングされた文書から、前記レンダリングされた文書内のテキストの第２の画像を取得することと、
前記受信されたマッピングを使用することにより、文字であって、前記文字の画像が前記テキストの第２の画像において生じる、文字のＩＤを決定することと
を包含する、方法。
【請求項１１】
携帯光学テキスト取得装置においてレンダリングされた文書からテキストを取得するための方法であって、
前記レンダリングされた文書から、前記レンダリングされた文書内のテキストの画像を取得することと、
前記取得された画像に含まれる区別された文字であって、前記携帯光学テキスト取得装置において前記区別された文字の外観が直接的にそのＩＤと関係していない、区別された文字を、前記区別された文字が、前記携帯光学テキスト取得装置に格納されている文字関係規則に従って、前記区別された文字以外の複数の文字であって、前記携帯光学テキスト取得装置において前記複数の文字の外観が直接的にそのＩＤと関係している、複数の文字を組み合わせることによって形成され得ると判断することによって、識別することと
を包含する、方法。
【請求項１２】
コンピュータ可読媒体であって、前記コンピュータ可読媒体のコンテンツは、コンピュータシステムに、電子文書をナビゲートする方法を実行させ、前記方法は、
レンダリングされた文書のコンテンツの部分を選択するユーザ入力を受信することであって、前記部分は文のフラグメントを構成する、ことと、
前記ユーザ入力を受信することに応答して、（１）電子文書の集合に含まれる電子文書を識別することであって、前記識別された電子文書は前記選択された文書の部分を含んでいる、こと、および、（２）前記選択された文書の部分が生じる前記識別された電子文書内の位置を識別することと、
前記識別された電子文書に関連するマークアップ層にアクセスすることと、
前記識別された電子文書内の前記識別された位置に対して、前記マークアップ層によって定義されたアクションを識別することと、
前記受信されたユーザ入力を提供したユーザに、前記識別されたアクションを利用可能にすることと
を包含する、コンピュータ可読媒体。
【請求項１３】
コンピュータ可読媒体であって、前記コンピュータ可読媒体のコンテンツは、コンピュータシステムに、電子文書をナビゲートする方法を実行させ、前記方法は、
レンダリングされた文書のコンテンツの部分を選択するユーザ入力を受信することであって、前記部分は文のフラグメントを構成する、ことと、
前記ユーザ入力を受信することに応答して、（１）電子文書の集合に含まれる電子文書を識別することであって、前記識別された電子文書は前記選択された文書の部分を含んでいる、こと、および、（２）前記選択された文書の部分が生じる前記識別された電子文書内の位置を識別することと、
前記識別された電子文書内の前記識別された位置に対する注釈用テキストを特定するユーザ入力を受信することと、
前記特定された注釈用テキストを、前記識別された電子文書の指示および前記識別された電子文書の外側の場所における識別された位置とともに格納することと、
前記注釈に対するユーザ要求に応答して、
前記識別された電子文書の少なくとも一部分であって、前記識別された位置を含んでいる部分を取り出すこと；
前記識別された電子文書の領域であって、前記識別された位置を含んでいる領域を表示すること；
前記特定された注釈用テキストを取り出すこと；および、
前記識別された位置に隣接する位置において、前記表示された文書の領域に関連して前記特定された注釈用テキストを表示することと
を包含する、コンピュータ可読媒体。
【請求項１４】
レンダリングされた文書からテキストを取得するための携帯光学テキスト取得装置であって、
前記レンダリングされた文書から、前記レンダリングされた文書内のテキストの第１の画像と、前記レンダリングされた文書内のテキストの第２の画像とを取得する取得構成要素と、
前記携帯光学テキスト取得装置から分離したコンピュータシステムに前記テキストの取得された第１の画像をアップロードするアップロード構成要素と、
前記コンピュータシステムから、前記レンダリングされた文書において使用される書体の文字画像の文字ＩＤへのマッピングを受信する受信構成要素と、
前記受信されたマッピングを使用することにより、文字であって、前記文字の画像が前記テキストの第２の画像において生じる、文字のＩＤを決定する決定構成要素と
を備える、携帯光学テキスト取得装置。
【請求項１５】
一つ以上のコンピュータメモリであって、前記一つ以上のコンピュータメモリのコンテンツは、コンピュータシステムに、レンダリングされた文書からテキストを取得する方法を実行させ、前記方法は、
携帯光学テキスト取得装置からテキストの画像を受信することであって、前記テキストの画像は、前記レンダリングされた文書から取得される、ことと、
前記受信された画像に含まれる区別された文字であって、前記携帯光学テキスト取得装置において前記区別された文字の外観が直接的にそのＩＤと関係していない、区別された文字を、前記区別された文字が、前記携帯光学テキスト取得装置に格納されている文字関係規則に従って、前記区別された文字以外の複数の文字であって、前記携帯光学テキスト取得装置において前記複数の文字の外観が直接的にそのＩＤと関係している、複数の文字を組み合わせることによって形成され得ると判断することによって、識別することと
を包含する、一つ以上のコンピュータメモリ。
【請求項１６】
前記識別されたアクションは、前記識別された位置において前記識別された電子文書により参照されるアイテムを購入するアクションを含む、請求項１に記載の方法。
【請求項１７】
前記識別されたアクションは、前記識別された電子文書内の前記識別された位置においてブックマークを確立するアクションを含む、請求項１に記載の方法。
【請求項１８】
第２のレンダリングされた文書から、前記第２のレンダリングされた文書内のテキストの第３の画像を取得することと、
前記受信されたマッピングを使用することにより、文字であって、前記文字の画像が前記テキストの第３の画像において生じる、文字のＩＤを決定することと
をさらに包含する、請求項１０に記載の方法。
【請求項１９】
前記方法が内部で実行される前記携帯光学テキスト取得装置は、ワイヤレス電話である、請求項１１に記載の方法。
【請求項２０】
前記携帯光学テキスト取得装置は、携帯電話である、請求項１４に記載の携帯光学テキスト取得装置。
【請求項２１】
レンダリングされた文書からユーザにより光学的に取得されたテキストを受信することと、
前記テキストを受信することに応答して、光学的取得に基づいた前記レンダリングされた文書とのインタラクションが不可能であるという明示的な指示を前記ユーザに提示させることと
を包含する、コンピュータシステムにおける方法。
【請求項２２】
前記提示させることは、前記受信されたテキストが、他の場合には前記レンダリングされた文書とのインタラクションの根拠としての役割を果たすインデックス内にないことが決定されることにさらに応答して、実行される、請求項２１に記載の方法。
【請求項２３】
前記提示させることは、前記レンダリングされた文書への権利を有するエンティティが前記レンダリングされた文書とのインタラクションの許可を提供していないことを決定することにさらに応答して、実行される、請求項２１に記載の方法。
【請求項２４】
前記提示させることは、前記レンダリングされた文書とのインタラクションに要求される料金を前記ユーザが支払っていないことを決定することにさらに応答して、実行される、請求項２１に記載の方法。
【請求項２５】
前記提示させることは、前記レンダリングされた文書を含む文書の集合から前記レンダリングされた文書を区別するのに前記受信されたテキストが適切でないことを決定することにさらに応答して、実行される、請求項２１に記載の方法。
【請求項２６】
コンピュータ可読媒体であって、前記コンピュータ可読媒体のコンテンツは、コンピュータシステムに、テキスト取得を処理する方法を実行させ、前記方法は、
レンダリングされた文書からユーザにより光学的に取得されたテキストを受信することと、
前記受信されたテキストを、文書の集合のフルテキストインデックスと比較することと、
前記受信されたテキストが前記インデックス内に存在しないことを決定することと、
前記受信されたテキストに類似するテキストであって、前記インデックス内に存在するテキストを識別することと、
前記インデックスを使用することにより、前記類似するテキストを含んでいるレンダリングされた文書を識別することと、
前記ユーザに、前記取得が前記識別されたレンダリングされた文書から実行されたことを通知することと
を包含する、コンピュータ可読媒体。
【請求項２７】
レンダリングされたテキストとのインタラクションを処理するためのコンピュータシステムにおける方法であって、
レンダリングされたテキストからハンドヘルド画像取得装置により取得された一連の画像を受信することと、
前記一連の画像のうちの少なくとも一部を使用することにより、前記取得が行われた文書と、前記取得が行われた文書内の位置とを識別することと、
前記一連の画像から、前記レンダリングされたテキストに対する移動経路を決定することと、
前記決定された移動経路に整合する経路パターンに関連したコマンドを識別することと、
前記識別された文書内の前記識別された位置に対して前記識別されたコマンドを実行することと
を包含する、方法。
【請求項２８】
前記決定することは、前記一連の画像のフレーム内での前記取得されたレンダリングされたテキストの視覚的特徴の移動を追跡することを包含する、請求項２７に記載の方法。
【請求項２９】
前記レンダリングされたテキストは、機械によりレンダリングされたテキストである、請求項２７に記載の方法。
【請求項３０】
前記レンダリングされたテキストは、印刷されたテキストである、請求項２７に記載の方法。
【請求項３１】
前記識別されたコマンドは、編集コマンドであり、前記編集コマンドの動作は、前記識別された位置に対応する位置において前記識別された文書の電子版のコンテンツを修正することを包含する、請求項２７に記載の方法。
【請求項３２】
前記決定された移動経路は、開始ラインから終了ラインまでの実質的に垂直な経路であり、前記識別されたコマンドは、前記開始ラインから前記終了ラインまでの前記レンダリングされた文書の領域を選択する、請求項２７に記載の方法。
【請求項３３】
前記決定された移動経路は、終了ワードにおいて始まる左から右への移動によりたどられる開始ワードにおいて始まる右から左への移動であり、前記識別されたコマンドは、前記開始ワードから前記終了ワードまでの前記レンダリングされた文書の領域を選択する、請求項２７に記載の方法。
【請求項３４】
前記決定された移動経路は、ページに実質的に直交し、前記レンダリングされたテキスト内の一点に向かい、前記識別されたコマンドは、前記レンダリングされたテキストの領域であって、前記一点を囲む領域に対して利用可能なアクションのリストを表示することである、請求項２７に記載の方法。
【請求項３５】
前記決定された移動経路は、前記レンダリングされたテキストの同一セクションにわたる、前記同一セクションに対する以前のコマンドの動作を直にたどる交互方向における移動のシーケンスであり、前記識別されたコマンドは、前記以前のコマンドの動作を元に戻す、請求項２７に記載の方法。
【請求項３６】
前記決定された移動経路は、前記レンダリングされたテキストの同一セクションにわたる水平移動のシーケンスであり、前記識別されたコマンドは、強調を前記レンダリングされたテキストの前記セクションに帰する、請求項２７に記載の方法。
【請求項３７】
前記決定された移動経路は、前記レンダリングされたテキストのセクションを囲む実質的に閉じた経路であり、前記識別されたコマンドは、前記テキストの囲まれたセクションを選択する、請求項２７に記載の方法。